(57)【要約】  ＡＰＩグループＩ規格を満たしていない低品質基油を、規定された流動点、粘度指数及びオキシデーターＢＮを備えた、フィッシャー・トロプシュ法によって得られる蒸留留分と混合することと、規定された特性を改善したＡＰＩグループＩ基油を単離することとを含む、ＡＰＩグループＩ基油を製造する方法。（ａ）規定された飽和物、粘度指数及びオキシデーターＢＮを備えた、ＡＰＩグループＩ規格を満たしていない低品質基油を選択することと、（ｂ）この低品質基油を、グループＩＩ基油及びフィッシャー・トロプシュ法によって得られる基油と混合することとから本質的になる、ＡＰＩグループＩ基油を製造する方法。低品質基油の潤滑特性を改善する方法。さらに、基油プラントを運転する方法。
2011513580.tif 000002
【特許請求の範囲】
【請求項１】
ａ．
ｉ．９０重量パーセント未満の飽和物レベル、及び
ｉｉ．８０未満の粘度指数、−１０℃超の流動点、及び１５時間未満のオキシデーターＢＮからなる群から選択される１種又は複数の準最適特性
を有する、ＡＰＩグループＩ規格を満たしていない低品質基油を得ること、
ｂ．前記低品質基油と
ｉ．−９℃未満のフィッシャー・トロプシュ流動点、
ｉｉ．次式：２８×Ｌｎ（１００℃での動粘度）＋８０により算出される量を超えるフィッシャー・トロプシュ粘度指数、及び
ｉｉｉ．２０時間超のフィッシャー・トロプシュオキシデーターＢＮ
を有する、フィッシャー・トロプシュ法によって得られる蒸留留分とを混合すること、並びに
ｃ．ＡＰＩグループＩ基油を単離すること
を含み、
前記ＡＰＩグループＩ基油が、９５超の粘度指数、−７℃未満の流動点、及び９．５時間超のオキシデーターＢＮを有する、ＡＰＩグループＩ基油を製造する方法。
【請求項２】
フィッシャー・トロプシュ法によって得られる蒸留留分が、９０〜９９重量％のパラフィン炭素及び２〜１０重量％のナフテン炭素を有する、請求項１に記載の方法。
【請求項３】
ＡＰＩグループＩ基油のノアック揮発性が、次式：２０００×（１００℃での動粘度）−２．７から算出される量未満である、請求項１に記載の方法。
【請求項４】
低品質基油の動粘度が、フィッシャー・トロプシュ法によって得られる蒸留留分よりも高い、請求項１に記載の方法。
【請求項５】
ａ．７０重量パーセント未満の飽和物レベル、
ｂ．７０未満の粘度指数、及び
ｃ．６時間未満のオキシデーターＢＮ
を特徴とする、ＡＰＩグループＩ規格を満たしていない低品質基油の潤滑特性を改善する方法であって、
石油由来の前記低品質基油と、フィッシャー・トロプシュ法によって得られる蒸留留分とを混合することを含み、ＡＰＩグループＩ基油が製造される上記方法。
【請求項６】
ＡＰＩグループＩ基油が、全組成に基づいて少なくとも１０重量％の前記低品質基油、及び全組成に基づいて１０〜５０重量％の前記フィッシャー・トロプシュ法によって得られる蒸留留分を含む、請求項１又は請求項５に記載の方法。
【請求項７】
ＡＰＩグループＩ基油と少なくとも１種の添加剤とを混和して完成潤滑剤を作製するステップをさらに含む、請求項１又は請求項５に記載の方法。
【請求項８】
低品質基油が溶剤脱ろう法によって溶剤プラントで作製される、請求項１又は請求項５に記載の方法。
【請求項９】
ａ．
ｉ．７０重量パーセント未満の飽和物レベル、
ｉｉ．７０未満の粘度指数、及び
ｉｉｉ．６時間未満のオキシデーターＢＮ
を特徴とする、ＡＰＩグループＩ規格を満たしていない低品質基油を製造する精油所の運転条件を選択すること、並びに
ｂ．前記低品質基油を第２の基油と混合してＡＰＩグループＩ規格を満たしている混合基油を作製すること
を含む、基油プラントを運転する方法。
【請求項１０】
第２の基油の粘度指数が、次式：２８×Ｌｎ（１００℃での動粘度）＋８０により規定される量を超える、請求項９に記載の方法。
【請求項１１】
精油所の運転条件が溶剤脱ろうを含む、請求項９に記載の方法。
【請求項１２】
粘度指数が５０未満である、請求項９に記載の方法。
【請求項１３】
オキシデーターＢＮが４時間未満である、請求項９に記載の方法。
【請求項１４】
飽和物レベルが６０重量パーセント未満である、請求項９に記載の方法。
【請求項１５】
第２の基油の動粘度が低品質基油よりも低い、請求項９に記載の方法。
【請求項１６】
（ａ）７０重量パーセント未満の飽和物レベル、７０未満の粘度指数、及び６時間未満のオキシデーターＢＮを特徴とする、ＡＰＩグループＩ規格を満たしていない低品質基油を選択すること、並びに（ｂ）前記低品質基油を、グループＩＩ基油及びフィッシャー・トロプシュ法によって得られる基油と混合してＡＰＩグループＩ基油を作製することから本質的になる、ＡＰＩグループＩ基油を製造する方法。
【発明の詳細な説明】
【技術分野】
【０００１】
本発明は、ＡＰＩグループＩ基油を製造する方法、低品質基油の潤滑特性を改善する方法及び基油プラントを運転する方法を対象とする。
【背景技術】
【０００２】
ＡＰＩグループＩ規格を満たしてさえもいない低品質基油を第２の基油と混合することによる、ＡＰＩグループＩ基油を製造する方法の改善が求められている。混合して規格を満たすことができる低品質基油を製造し利用することを可能にすることによって、コスト面での有利さ及び性能面での有利さが得られると思われる。
【発明の概要】
【課題を解決するための手段】
【０００３】
ａ．
ｉ．９０重量パーセント未満の飽和物レベル（ｓａｔｕｒａｔｅｓ  ｌｅｖｅｌ）、及び
ｉｉ．８０未満の粘度指数、−１０℃超の流動点、及び１５時間未満のオキシデーター（Ｏｘｉｄａｔｏｒ）ＢＮからなる群から選択される１種又は複数の準最適特性（ｓｕｂｏｐｔｉｍａｌ  ｐｒｏｐｅｒｔｉｅｓ）
を有する、ＡＰＩグループＩ規格を満たしていない低品質基油（ｌｏｗｅｒ  ｑｕａｌｉｔｙ  ｂａｓｅ  ｏｉｌ）を得ること、
ｂ．低品質基油と、
ｉ．−９℃未満のフィッシャー・トロプシュ流動点、
ｉｉ．次式：２８×Ｌｎ（１００℃での動粘度）＋８０により算出される量を超えるフィッシャー・トロプシュ粘度指数、及び
ｉｉｉ．２０時間超のフィッシャー・トロプシュオキシデーターＢＮ
を有する、フィッシャー・トロプシュ法によって得られる蒸留留分（ｄｉｓｔｉｌｌａｔｅ  ｆｒａｃｔｉｏｎ）とを混合すること、並びに
ｃ．ＡＰＩグループＩ基油を単離すること
を含み、
このＡＰＩグループＩ基油が、９５超の粘度指数、−７℃未満の流動点、及び９．５時間超のオキシデーターＢＮを有する、ＡＰＩグループＩ基油を製造する方法が提供される。
【０００４】
ａ．７０重量パーセント未満の飽和物レベル、
ｂ．７０未満の粘度指数、及び
ｃ．６時間未満のオキシデーターＢＮ
を特徴とする、ＡＰＩグループＩ規格を満たしていない低品質基油の潤滑特性を改善する方法であって、
前記低品質基油と、フィッシャー・トロプシュ法によって得られる蒸留留分とを混合することを含み、ＡＰＩグループＩ基油が製造される上記方法が提供される。
【０００５】
（ａ）７０重量パーセント未満の飽和物レベル、７０未満の粘度指数、及び６時間未満のオキシデーターＢＮを特徴とする、ＡＰＩグループＩ規格を満たしていない低品質基油を選択すること、並びに（ｂ）低品質基油を、グループＩＩ基油及びフィッシャー・トロプシュ法によって得られる基油と混合してＡＰＩグループＩ基油を作製することから本質的になる、ＡＰＩグループＩ基油を製造する方法が提供される。
【０００６】
ａ．
ｉ．７０重量パーセント未満の飽和物レベル、
ｉｉ．７０未満の粘度指数、及び
ｉｉｉ．６時間未満のオキシデーターＢＮ
を特徴とする、ＡＰＩグループＩ規格を満たしていない低品質基油を製造する精油所の運転条件を選択すること、並びに
ｂ．低品質基油を第２の基油と混合してＡＰＩグループＩ規格を満たしている混合基油を作製すること
を含む、基油プラントを運転する方法も提供される。
【図面の簡単な説明】
【０００７】
【図１】図１は、次式：２０００×（動粘度）−２．７を示す、１００℃での動粘度（ｍｍ２／ｓ）とノアック揮発性（重量％）との関係を示すグラフである。
【発明を実施するための形態】
【０００８】
（発明の詳細な説明）
潤滑基油の規格は、ＡＰＩインターチェンジガイドライン（Ｉｎｔｅｒｃｈａｎｇｅ  Ｇｕｉｄｅｌｉｎｅｓ）（ＡＰＩ公報１５０９）に規定されている。
【表１】
2011513580.tif 000003
【０００９】
ＡＰＩグループＩ基油は、専用の添加剤パッケージ及びこれらの基油で使用するために設計された個々の添加剤があり、混合することによってＶＩ、硫黄分、又は飽和物レベルなどの１種又は複数の特性を改善することで、得られた混合基油を、各混合成分では到達不能な潤滑剤配合物において使用可能にすることができるので、ある種の完成潤滑剤配合物において望まれている。
【００１０】
しかしながら、一般に、基油において最も所望される特性は、高い粘度指数、低い硫黄分、低い流動点、及び高い飽和物含量である。さらに所望される特性を達成するには、出費がかさんで、煩雑になる恐れがあり、製造するには甚大なエネルギー消費が必要になる。本発明者らは、ＡＰＩグループＩ規格を満たしてさえもいない低品質基油を効率よく製造することができ、次いで第２の基油と混合してＡＰＩグループＩ規格にできることを発見した。
【００１１】
低品質基油は、生物由来、石油由来、合成物、又はそれらの混合物であってよい。低品質基油は、飽和物含量が低いことになる。たとえば、低品質基油は、飽和物含量が９０重量パーセント未満、７０重量パーセント未満、６０重量パーセント未満、又はさらには５０重量パーセント未満とすることができる。飽和物は、約９５重量％未満のレベルで、蛍光指示薬吸着法（ｆｌｕｏｒｅｓｃｅｎｃｅ  ｉｎｄｉｃａｔｏｒ  ａｄｓｏｒｐｔｉｏｎ：ＦＩＡ）で測定される。炭化水素組成物中の飽和物、オレフィン及び芳香族の定量測定用に石油業界で使用される標準的方法は、「蛍光指示薬吸着法による液状石油製品中の炭化水素のタイプ（Ｈｙｄｒｏｃａｒｂｏｎ  Ｔｙｐｅｓ  ｉｎ  Ｌｉｑｕｉｄ  Ｐｅｔｒｏｌｅｕｍ  Ｐｒｏｄｕｃｔｓ  ｂｙ  Ｆｌｕｏｒｅｓｃｅｎｃｅ  Ｉｎｄｉｃａｔｏｒ  Ａｄｓｏｒｐｔｉｏｎ）」ＡＳＴＭ試験番号Ｄ１３１９−０３（２００６年６月に記事で更新）で述べられている。
【００１２】
低品質基油は、１種又は複数の他の準最適特性を有しており、これは、低い粘度指数、高い流動点及び低い酸化安定性を含むことができる。粘度指数（ＶＩ）は、油の動粘度に対する温度変化の影響を示している経験的な、無次元数である。低品質基油の粘度指数は、１００未満又は９０未満、たとえば７０未満、６０未満、又はさらには５０未満であってよい。いくつかの実施形態では、粘度指数は、さらには０未満であってよい。粘度指数を測定するために用いる試験方法は、ＡＳＴＭ  Ｄ２２７０−０４である。低品質基油の流動点は、たとえば−１５℃超、−１０℃超、又は０℃超の要求よりも高いものとすることができる。流動点は、慎重に制御した条件下で基油の試料が流れ始める温度の測定値である。流動点を測定するために用いる１つの試験方法は、Ｄ５９５０−０２（再承認２００７）である。
【００１３】
低品質基油は、オキシデーターＢＮを測定することによって求められる酸化安定性が低いことがある。オキシデーターＢＮは、２０時間未満、１５時間未満、６時間未満、４時間未満、又はさらには２時間未満とすることができる。オキシデーターＢＮ試験は、Ｓｔａｎｇｅｌａｎｄらによって米国特許第３，８５２，２０７号に記載されている。オキシデーターＢＮ試験は、ドーンテ（Ｄｏｒｎｔｅ）型酸素吸収装置によって酸化に対する抵抗を測定する。Ｒ．Ｗ．Ｄｏｒｎｔｅ、「ホワイト油の酸化（Ｏｘｉｄａｔｉｏｎ  ｏｆ  Ｗｈｉｔｅ  Ｏｉｌｓ）」、Ｉｎｄｕｓｔｒｉａｌ  ａｎｄ  Ｅｎｇｉｎｅｅｒｉｎｇ  Ｃｈｅｍｉｓｔｒｙ、第２８巻、２６ページ、１９３６を参照されたい。標準的には条件は３４０°Ｆで１気圧の純酸素である。結果は、油１００ｇが１０００ｍｌのＯ２を吸収する時間で記される。オキシデーターＢＮ試験では、油１００グラム当り触媒０．８ｍｌが使用され、油には添加剤パッケージが含まれている。触媒は、灯油に可溶性の金属ナフテン酸塩の混合物である。可溶性金属ナフテン酸塩の混合物は、使用したクランクケース油の平均金属分析をシミュレートしている。触媒中の金属のレベルは次の通りである：銅＝６，９２７ｐｐｍ、鉄＝４，０８３ｐｐｍ、鉛＝８０，２０８ｐｐｍ、マンガン＝３５０ｐｐｍ、スズ＝３５６５ｐｐｍ。添加剤パッケージは、油１００グラム当り８０ミリモルのビスポリプロピレンフェニルジチオリン酸亜鉛であるか、又は約１．１グラムのＯＬＯＡ２６０である。オキシデーターＢＮ試験は、シミュレートされた用途における潤滑基油の応答を測定する。酸素１リットルを吸収するのに要する高い値又は長い時間は、酸化安定性が良好であることを示す。
【００１４】
ＯＬＯＡはＯｒｏｎｉｔｅ  Ｌｕｂｒｉｃａｔｉｎｇ  Ｏｉｌ  Ａｄｄｉｔｉｖｅ（登録商標）の頭字語であるが、これはＣｈｅｖｒｏｎ  Ｏｒｏｎｉｔｅの登録商標である。
【００１５】
低品質基油は、基油の特性に寄与する精油所の運転条件のもと、基油プラントで製造することができる。ろう分供給原料のために使用することができる最も一般的な精製方法は、溶剤脱ろうである。
【００１６】
溶剤脱ろうは、ＡＰＩグループＩ基油の製造において使用することが多い方法である。溶剤脱ろうは、油からろうを分離するのを補助する脱ろう溶剤を使用する。使用される溶剤は、ろうがより高温で油から結晶となって析出するように、直ちに油と混合して溶液を形成するが、油−溶剤混合物中のろうの溶解度を減少させる作用がある。このことは、脱ろう油の流動点が、ろうの油に対する溶解度及び脱ろうが実施される温度の両方に依存するので、低流動点の油は、その工程で適度な程度に冷却するだけでさらに容易に製造できることを意味している。このように、ろうの溶解度が減少することは、低流動点油が、所与の運転温度で製造できることを意味するか、又は所与の流動点がより高い運転温度で得られることを意味している。通常、この目的のためにケトン類が用いられ、アセトン、メチルエチルケトン（ＭＥＫ）、メチルプロピルケトン、メチルブチルケトン、特にメチルイソブチルケトンがしばしば選択されることになる。
【００１７】
ケトンは、単独で使用することができ、又はより好ましくは、油の溶解度を増加させても、ろうの溶解度を減少させるベンゼン、トルエン又は石油ナフサなどの芳香族溶剤とともに、使用することができる。使用する溶剤の量は、脱ろう生成物に要求される流動点、供給原料のろう含量（ろうの量及び型）、脱ろう油の粘度、システムの設計運転温度、及び、もしあれば、使用する自動冷却剤（ａｕｔｏｒｅｆｒｉｇｅｒａｎｔ）の量などの他の因子に依存することになる。
【００１８】
溶剤脱ろうの一実施形態では、ろうが油から析出して、ろう様のスラリーを形成する冷却帯があり、そのように形成されたスラリーは、液状の層に注入されるプロピレン又は他の自動冷却剤などの液化ガスと段階的に接触して、ろうの濾過温度までさらに冷却される。自動冷却剤とは、本願明細書で使用する場合、液化ガスと同じ意味を持つ。自動冷却は、最も基本的な形態では、（ａ）冷却によってガスを凝縮すること、（ｂ）液化ガスを分離して取り出すこと、及び（ｃ）液化ガスを蒸発させて冷却することを含む３工程のプロセスである。溶解ガス（たとえば水素）などの液化ガスの範疇の他の化合物の存在、又は氷点を低下させるメタノールなどの追加物質の存在、又は凝縮流れから蒸発流れへ伝熱する中間流れの使用は、３つの基本工程（ａ）、（ｂ）、（ｃ）が存在しても自動冷却段階が存在するという基本的な事実を変えるものではない。それらの３つの工程は、２回以上（即ち２つ以上の段階）あってよい。自動冷却段階の特徴は、液化性酸性ガスの蒸発が起こる圧力でガスの凝縮が起こる温度領域にある。
【００１９】
溶剤脱ろうにおいて使用される溶剤の量は、適切な経験又は実験で測定することができるが、一般的な指針として、油供給原料の重量に基づいて０．５：１〜４：１（溶剤：油）である。精製費用が削減でき、安全性が、０．５：１〜２：１という低い溶剤：油比率によって改善される。低品質基油の流動点を高くすることができるので、溶剤の選択、及び溶剤：油比率の選択肢が広がっている。
【００２０】
過去の溶剤の選択は、硫黄選択性の少ない溶剤に制限されたか、又は油−溶剤混合物中のろうの溶解度の低い溶剤に制限されていた。分離された油中の硫黄分量が低レベルに保たれ、流動点が許容できるほど低くなるように、溶剤の選択には規制が必要であった。溶剤の選択の幅は、現在では拡大されており、低コスト、環境利益、省エネルギー化、又は安全性などの他の特徴について選択される。
【００２１】
硫黄溶解度の異なった溶剤を選択することができる。溶剤の硫黄溶解度を測定する１つの方法は、以下の方法によっている。１０ｍｇの硫黄粉末を、それぞれの溶剤に加えて、１０分間撹拌する。硫黄粉末が完全に溶解する場合、１０ｍｇの硫黄粉末を追加して加え、この手順を繰り返し実施する。追加した硫黄粉末の一部が溶解しないときに、非溶解硫黄を濾紙を用いて濾過して回収し、濾過された硫黄の質量を測定する。溶剤の硫黄溶解度は、非溶解硫黄の質量から算出する。数例の試験した溶剤の硫黄溶解度を下の表１に示す。
【表２】
2011513580.tif 000004
【００２２】
表１に示すように、５０ｍＭ以上の硫黄溶解度を有する溶剤には、たとえば、シクロヘキサン、キシレン、トリフルオロトルエン、トルエン、フルオロベンゼン及びベンゼンが挙げられよう。
【００２３】
第２の基油
低品質基油は、それよりも品質がずっと高い第２の基油と混合される。第２の基油の粘度指数は、非常に高くてよい。第２の基油の動粘度は、第２の基油と混合される低品質基油よりも低くてもよい。動粘度は、重力下における流体の流れ抵抗の測定値である。多数の基油、それらから製造した完成潤滑剤、及び機器の正しい操作は、使用する流体の適切な粘度に依存している。動粘度は、ＡＳＴＭ  Ｄ４４５−０６で測定される。
【００２４】
いくつかの実施形態では、第２の基油は、フィッシャー・トロプシュ法によって得られる。「フィッシャー・トロプシュ法によって得られる（Ｆｉｓｃｈｅｒ−Ｔｒｏｐｓｃｈ  ｄｅｒｉｖｅｄ）」という用語は、その物質が、フィッシャー・トロプシュ合成生成物を製造するフィッシャー・トロプシュ合成プロセスから生じるか、又はフィッシャー・トロプシュ合成プロセスのある段階で製造されることを意味する。フィッシャー・トロプシュ合成生成物は、たとえば、市販のＳＡＳＯＬ（登録商標）Ｓｌｕｒｒｙ  Ｐｈａｓｅ  Ｆｉｓｃｈｅｒ−Ｔｒｏｐｓｃｈ  ｔｅｃｈｎｏｌｏｇｙ、市販のＳＨＥＬＬ（登録商標）Ｍｉｄｄｌｅ  Ｄｉｓｔｉｌｌａｔｅ  Ｓｙｎｔｈｅｓｉｓ（ＳＭＤＳ）Ｐｒｏｃｅｓｓ、又は市販されていないＥＸＸＯＮ（登録商標）Ａｄｖａｎｃｅｄ  Ｇａｓ  Ｃｏｎｖｅｒｓｉｏｎ（ＡＧＣ−２１）ｐｒｏｃｅｓｓなどの周知の方法によって得ることができる。これらの方法及びその他の詳細は、たとえば、欧州特許出願公開第７７６９５９号、欧州特許出願公開第６６８３４２号；米国特許第４，９４３，６７２号、第５，０５９，２９９号、第５，７３３，８３９号、及び再発行特許第３９０７３号；並びに米国特許出願公開第２００５／０２２７８６６号、国際公開第９９３４９１７号、国際公開第９９２０７２０号及び国際公開第０５１０７９３５号に記載されている。フィッシャー・トロプシュ合成生成物は通常、１〜１００、又はさらには１００を超える炭素原子を有する炭化水素を含み、一般的には、パラフィン、オレフィン及び酸素処理した生成物を含む。フィッシャー・トロプシュ法は、クリーンな代替炭化水素生成物を生成する実用的な方法である。
【００２５】
フィッシャー・トロプシュ法によって得られる基油は、たとえばＵＳ２００４０２５６２８７、ＵＳ２００４０２５６２８６、ＵＳ２００４０１５９５８２、ＵＳ７０１８２５、ＵＳ２００５０１３９５１３、ＵＳ７２８２１３４、ＵＳ２００６０００１６７２４、ＵＳ６７０００２７、ＵＳ６７０２９３７、ＵＳ６６０５２０６、ＵＳ２００６０２８９３３７、及びＵＳ２００６０２０１８５１に記載されている。これらの基油を製造するのに使用される方法としては、水素化分解、水素化異性化、オリゴマー化、触媒及び／又は溶剤脱ろう、分離、減圧蒸留、並びに水素化仕上げが挙げられる。
【００２６】
フィッシャー・トロプシュ法によって得られる基油の粘度指数は、次式：２８×Ｌｎ（１００℃での動粘度）＋８０により算出される量を超えてもよい。いくつかの実施形態では、フィッシャー・トロプシュ法によって得られる基油の粘度指数は、次式：２８×Ｌｎ（１００℃での動粘度）＋９０により算出される量を超えることになるか、又は次式：２８×Ｌｎ（１００℃での動粘度）＋９５により算出される量を超えることになる。
【００２７】
第２の基油は、酸化安定性が良好である。いくつかの実施形態では、第２の基油のオキシデーターＢＮは１５時間超、２０時間超、２５時間超、又は３５時間超であってよい。第２の基油のオキシデーターＢＮは、通常は約７５時間未満である。
【００２８】
第２の基油は、いくつかの異なった等級のうちの１つであってよい。減圧蒸留塔から回収される基油は、ＸＸＬＮ、ＸＬＮ、ＬＮ、ＭＮ及びＨＮなどの基油等級の範囲を含むことができる。本開示で言及されるＸＸＬＮ等級の基油とは、１００℃での動粘度が約１．５ｍｍ２／ｓ〜約２．３ｍｍ２／ｓである基油のことである。ＸＬＮ等級の基油の１００℃での動粘度は、約２．３ｍｍ２／ｓ〜約３．５ｍｍ２／ｓである。ＬＮ等級の基油の１００℃での動粘度は、約３．５ｍｍ２／ｓ〜約５．５ｍｍ２／ｓである。ＭＮ等級の基油の１００℃での動粘度は、約５．５ｍｍ２／ｓ〜１０ｍｍ２／ｓである。ＨＮ等級の基油の１００℃での動粘度は、１０ｍｍ２／ｓよりも高い。通常、ＨＮ等級の基油の１００℃での動粘度は、約１０．０ｍｍ２／ｓ〜約３０．０ｍｍ２／ｓ、又は約１５．０ｍｍ２／ｓ〜約３０．０ｍｍ２／ｓである。
【００２９】
水素化処理によって製造された基油は、プロセスへの供給原料中の重い分子の水素化分解のために、多量の低粘度生成物を生じる傾向がある。これらの油は非常に高品質でありうるが、ＸＸＬＮ、ＸＬＮ、及びＬＮ等級の基油がＭＮ及びＨＮ等級よりも高収率で製造される。一実施形態では、低品質基油はＭＮ又はＨＮ等級であり、第２の基油はＸＸＬＮ、ＸＬＮ、又はＬＮ等級である。
【００３０】
一実施形態では、第２の基油は、９０〜９９重量％のパラフィン炭素及び２〜１０重量％のナフテン炭素を有する、フィッシャー・トロプシュ法によって得られる蒸留留分である。パラフィン炭素及びナフテン炭素は、ｎ−ｄ−Ｍ分析（ＡＳＴＭ  Ｄ  ３２３８−９５（再承認２００５））により測定される。
【００３１】
分子キャラクタリゼーションは、フィールドイオン化質量分光法（ＦＩＭＳ）を含めた当該分野では公知の方法により行うことができる。ＦＩＭＳにおいて、基油はアルカン及び様々な数の不飽和（ｕｎｓａｔｕｒａｔｉｏｎｓ）を持つ分子として特徴付けられる。様々な数の不飽和を持つ分子は、シクロパラフィン、オレフィン及び芳香族を含むことができる。芳香族が相当量存在すれば、４不飽和として同定されよう。オレフィンが相当量存在すれば、１不飽和として同定されよう。ＦＩＭＳ分析による１不飽和、２不飽和、３不飽和、４不飽和、５不飽和及び６不飽和の合計から、プロトンＮＭＲによるオレフィンの重量％を引き、ＨＰＬＣ−ＵＶによる芳香族の重量％を引いたものが、シクロパラフィン官能性を持つ分子の全重量％である。芳香族含量が測定されなかった場合は、芳香族含量を０．１重量％未満であると仮定して、シクロパラフィン官能性を持つ分子の全重量％の算出に含めなかった。シクロパラフィン官能性を持つ分子の全重量％は、モノシクロパラフィン官能性を持つ分子の重量％及びマルチシクロパラフィン官能性を持つ分子の重量％の合計である。
【００３２】
シクロパラフィン官能性を持つ分子とは、単環又は縮合多環飽和炭化水素基である、又はそれを１個又は複数の置換基として含有する任意の分子を意味する。シクロパラフィン基は、１〜３などの１個又は複数の置換基によって、置換されていてもよい。代表的な例としては、これらに限定されるものではないが、シクロプロピル、シクロブチル、シクロヘキシル、シクロペンチル、シクロヘプチル、デカヒドロナフタレン、オクタヒドロペンタレン、（ペンタデカン−６−イル）シクロヘキサン、３，７，１０−トリシクロヘキシルペンタデカン、デカヒドロ−１−（ペンタデカン−６−イル）ナフタレンなどを挙げることができる。
【００３３】
モノシクロパラフィン官能性を持つ分子とは、３〜７個の環炭素を持つ単環飽和炭化水素基である任意の分子、又は３〜７個の環炭素を持つ単環飽和炭化水素基１個によって置換された任意の分子を意味する。シクロパラフィン基は、１〜３個など、１個又は複数の置換基によって、置換されていてもよい。代表的な例としては、これらに限定されるものではないが、シクロプロピル、シクロブチル、シクロヘキシル、シクロペンチル、シクロヘプチル、（ペンタデカン−６−イル）シクロヘキサンなどを挙げることができる。
【００３４】
マルチシクロパラフィン官能性を持つ分子とは、２個以上の縮合環を持つ縮合多環飽和炭化水素環基である任意の分子、２個以上の縮合環を持つ縮合多環飽和炭化水素環基１個又は複数で置換された任意の分子、又は３〜７個の環炭素を持つ単環飽和炭化水素基２個以上で置換された任意の分子を意味する。縮合多環飽和炭化水素環基は、多くの場合２個の縮合環を持つ。シクロパラフィン基は、１〜３などの１個又は複数の置換基によって、置換されていてもよい。代表的な例としては、これらに限定されるものではないが、デカヒドロナフタレン、オクタヒドロペンタレン、３，７，１０−トリシクロヘキシルペンタデカン、デカヒドロ−１−（ペンタデカン−６−イル）ナフタレンなどを挙げることができる。
【００３５】
一実施形態では、第２の基油は、シクロパラフィン官能性を持つ全分子が１０重量％超であり、マルチシクロパラフィン官能性を持つ分子に対するモノシクロパラフィン官能性を有する分子の比率が高い、フィッシャー・トロプシュ法によって得られる蒸留留分である。シクロパラフィンの比率は、３超、５超、１０超、１５超又は２０超であってよい。これらのタイプの基油を製造する方法は、ＵＳ７２８２１３４及びＵＳ２００６０２８９３３７において教示されている。その方法は、選択した条件下に形状選択性のある中間細孔触媒を使用して、フィッシャー・トロプシュろうを脱ろうすることを含む。
【００３６】
潤滑剤基油混合物
低品質基油を第２の基油と混合することにより、ＡＰＩグループＩ基油を製造する。ＡＰＩグループＩ基油は、全組成に基づいて、少なくとも１０重量％などの少なくとも５重量％の低品質基油を含む。ＡＰＩグループＩ基油は、９０重量％未満の低品質基油を含む。ＡＰＩグループＩ基油は、１０〜５０重量％又は２０〜４０重量％などの５〜８０重量％の第２の基油を含む。
【００３７】
ＡＰＩグループＩ基油は、高い粘度指数、低い流動点及び優れた酸化安定性を含む優れた特性を有するものであってよい。さらに、ＡＰＩグループＩ基油は、低いＣＣＳ粘度、又は低いノアック揮発性を有することができる。ＡＰＩグループＩ基油の粘度指数は、１００超又は１０５超などの９５超であってよい。ＡＰＩグループＩ基油の流動点は、−７℃未満、−１０℃未満、−１５℃未満、又はさらには−２０℃未満などの−５℃未満であってよい。ＡＰＩグループＩ基油のオキシデーターＢＮは、８時間超、たとえば９．５時間超、１１時間超又は１２時間超であってよい。
【００３８】
一実施形態では、ＡＰＩグループＩ基油のＣＣＳ粘度は低い。ＡＰＩグループＩ基油のＣＣＳ粘度は、−２５℃で４，０００ｃＰ未満のＬＮ等級であってよい。ＡＰＩグループＩ基油のＣＣＳ粘度は、−２０℃で４，０００ｃＰ未満のＭＮ等級か、又はＣＣＳ粘度が−１０℃で４，０００ｃＰ未満のＨＮ等級であってよい。ＣＣＳ粘度は、低温及び高剪断応力下で油の粘性特性を測定するのに使用される試験である。ＣＣＳ粘度が低いので、マルチグレイドエンジン油を含むいくつもの完成潤滑剤において油が非常に有用になっている。ＣＣＳ粘度を決定する試験方法は、ＡＳＴＭ  Ｄ５２９３−０４である。結果はセンチポアズ、ｃＰで記される。
【００３９】
一実施形態では、ＡＰＩグループＩ基油は、現状のノアック揮発性を有する。ノアック揮発性は、通常ＡＳＴＭ  Ｄ５８００−０５手順Ｂに従って試験される。動粘度が減少するにつれて、基油のノアック揮発性は一般に増加する。ノアック揮発性が低いほど、基油及び配合油が使用時に揮発しにくくなる。ＡＰＩグループＩ基油のノアック揮発性は、次式：２０００×（１００℃での動粘度）−２．７から算出される量未満とすることができる。
【００４０】
完成潤滑剤
完成潤滑剤は、潤滑剤基油及び少なくとも１種の添加剤を含む。潤滑剤基油は、グループＩ基油であってよい。潤滑剤基油は、完成潤滑剤の最も重要な成分であり、一般に、完成潤滑剤の７０％を超えて含まれる。完成潤滑剤は、たとえば、自動車、ディーゼルエンジン、車軸、変速機及び工業用途で使用することができる。完成潤滑剤は、関係する運営組織により規定された対象とする用途向けの規格を満たさなければならない。
【００４１】
完成潤滑剤組成物を提供するために潤滑剤基油混合物と混合できる添加剤は、完成潤滑剤の選択された特性を改善することを目的としたものを含む。典型的な添加剤としては、たとえば、流動点降下剤、耐摩耗性添加剤、極圧剤、洗浄剤、分散剤、抗酸化剤、粘度指数向上剤、粘度調整剤、摩擦緩和剤、抗乳化剤、消泡剤、腐食防止剤、防錆剤、シール膨潤剤、乳化剤、湿潤剤、潤滑性向上剤、金属不活性化剤、ゲル化剤、粘着剤、殺菌剤、防かび剤、流体ロス添加剤（ｆｌｕｉｄ−ｌｏｓｓ  ａｄｄｉｔｉｖｅｓ）、着色剤などが挙げられる。
【００４２】
一般に、完成潤滑剤中の添加剤の総量は、完成潤滑剤の約０．１〜約３０重量パーセントである。しかしながら、本発明の潤滑基油が優れた酸化安定性、低い摩耗性、高い粘度指数、低い揮発性、良好な低温特性、良好な添加剤溶解性及び良好なエラストマー適合性を含む優れた特性を有するので、完成潤滑剤の規格を満たすために必要とされる添加剤の量が、他の方法によって製造される基油に通常必要な量よりも少なくてよい。完成潤滑剤を配合する際の添加剤の使用は、文献に十分に記されており、当業者に周知である。
【実施例】
【００４３】
（例１）
ＡＰＩグループＩの規格を満たしていない基油の２種の試料は、表Ｉに示したような特性を有した。
【表３】
2011513580.tif 000005
【００４４】
フィッシャー・トロプシュ法によって得られる基油の３種の試料は、水素処理されたフィッシャー・トロプシュろうを水素化異性化し、次いで水素化仕上げ及び分留によって製造した。これら３種の試料は全て、蒸留留分であった。本開示において、「蒸留留分（ｄｉｓｔｉｌｌａｔｅ  ｆｒａｃｔｉｏｎ）」又は「留出物（ｄｉｓｔｉｌｌａｔｅ）」という用語は、塔底から回収される残留高沸点留分を表す「ボトム（ｂｏｔｔｏｍｓ）」ではなく、常圧分留塔又は減圧蒸留塔から回収された側流液（ｓｉｄｅ  ｓｔｒｅａｍ  ｐｒｏｄｕｃｔ）のことをいう。３種のフィッシャー・トロプシュ法によって得られる基油の特性を表ＩＩにまとめて示す。
【表４】
2011513580.tif 000006
【００４５】
非常に高い飽和物は、高圧液体クロマトグラフィー（ＨＰＬＣ）によってより正確に測定した。試料をｎ−ヘキサンに溶解し、不溶物を全て濾過して除去し、乾燥して、秤量する。ろ液を、既知の体積にまで濃縮し、一部を定量的にＨＰＬＣに注入して、分離を示差屈折率（ＲＩ）検出器によって監視する。飽和物をｎ−ヘキサンによって溶出させて捕集する。ｎ−ヘキサンの流れを入れ替えて、芳香族を溶出させて捕集する。ＲＩ検出器によって示されるように、芳香族が完全に溶出したときに、移動相を、アセトン及び塩化メチレンの１：１混合物に変更し、極性物質を溶出させて捕集する。溶剤を蒸発させて、画分を秤量し、元の試料中の重量パーセント分布を算出する。この画分は、さらなる分析（ＭＳ、ＧＣ、ＮＭＲなど）に用いることができる。
【００４６】
これらのフィッシャー・トロプシュ基油のうちの３種全ての粘性指数が、式ＶＩ＝２８×Ｌｎ（１００℃での動粘度）＋Ｘにおいて、Ｘが９０を超えるような非常に高いものであったことに留意されたい。ＬＦＴＢＯ及びＭＦＴＢＯの特に要求されるＸの値は、それぞれ１０７超及び１０４超であった。
【００４７】
（例２）
ＡＰＩグループＩの規格を満たしていない石油由来基油と、例１のフィッシャー・トロプシュ法によって得られる基油とを異なる比率で混合して、改善された特性を備えたＬＮ、ＭＮ及びＨＮ等級のＡＰＩグループＩ基油を製造した。混合組成及び特性を表ＩＩＩにまとめて示す。
【表５】
2011513580.tif 000007
【００４８】
これらの混合物の全てが、９５超の粘度指数、−７℃未満の流動点及び９．５時間超のオキシデーターＢＮを有するＡＰＩグループＩ基油であったことに留意されたい。３種の混合物のノアック揮発性は全て、次式：２０００×（１００℃での動粘度）−２．７から算出される量未満であった。この式のプロットを、図１に示す。ＬＮ等級「１１０Ｎ」の事例のＣＣＳ粘度は、−２５℃で４，０００ｃＰ未満と、特に低いものであった。ＭＮ等級「２２０Ｎ」の事例及び「２３０Ｎ」の事例のＣＣＳ粘度は、−２０℃で４，０００ｃＰ未満と、優れたものであった。そして、ＨＮ「５７５Ｎ」の事例のＣＣＳ粘度も、−１０℃で４，０００ｃＰ未満と、優れたものであった。これらは、バラエティーに富んだ完成潤滑剤混合用の優れた基油になると思われる。
【００４９】
これら３種の混合物の全ては、ａ）７０重量パーセント未満の飽和物レベル、７０未満の粘度指数及び６時間未満のオキシデーターＢＮを特徴とする、ＡＰＩグループＩ規格を満たしていない低品質基油を選択することと、ｂ）低品質基油を、グループＩＩ基油及びフィッシャー・トロプシュ法によって得られる基油と混合してＡＰＩグループＩ基油を製造することとから本質的になる、又はそれからなる、ＡＰＩグループＩ基油を製造する方法の例であった。
【００５０】
（例３）
比較のため、ＡＰＩグループＩの規格を満たしていない石油由来基油の混合物と、通常の石油由来のシェブロンＡＰＩグループＩＩ基油とを異なる比率で混合して、改良された特性を持ったＬＮ、ＭＮ及びＨＮ等級のＡＰＩグループＩ基油を製造した。
【表６】
2011513580.tif 000008
【００５１】
これらの比較混合物は、本発明のＡＰＩグループＩ基油の高いＶＩ及び高いオキシデーターＢＮを備えていなかった。
【００５２】
本出願に引用された刊行物、特許及び特許出願は全て、刊行物、特許出願又は特許それぞれの開示を具体的かつ個別にその全体を参照により組み込んだ場合と同程度に、本願明細書にその全体を参照により組み込むものとする。
【００５３】
上記に開示した本発明の代表的な実施形態の多くの改変は、当業者であれば容易に思い付くことであろう。したがって、本発明は添付の特許請求の範囲内に入る全ての構成及び方法を含むと解釈されるべきである。
【図１】
2011513580.tif 000009
【国際調査報告】
2011513580.tif 000010
2011513580.tif 000011